(57)【要約】      （修正有）【課題】データ信号の送受信時において発生する伝送負荷の影響を抑え、データ通信の伝送効率を高めて信頼性を向上させる。【解決手段】居室親機３ａ、３ｂ、・・・にて発生する送出イベントとして、火災、ガス漏れ、水漏れ、居住者による生活異変等の住戸内にて発生したセキュリティ異常を検知するセンサ６ａ、６ｂ、・・・の動作が遷移する例えば、監視状態から発報状態に遷移する、又は発報状態から監視状態に遷移する場合や、制御機５の制御によって全ての居室親機が初期化される場合の送出イベント発生時に、発生前の当該居室親機の動作状態及び／又は一つ以上の送出イベント発生前に発生していた状態イベントの内容に応じて、計時部３０４にて計時される送出イベント発生から制御機へのデータ信号の送出までの時間が可変されるように設定・記憶する。【選択図】図２
2009246458.tif 000002
【特許請求の範囲】
【請求項１】
集合住宅の集合玄関に設置される集合玄関機（１）と、前記集合住宅の各住戸内に設置され、前記集合玄関機からの呼び出しに応答して前記集合玄関機との間で通話を成立させる居室親機（３ａ、３ｂ、・・・）と、前記集合玄関機及び前記居室親機にそれぞれ接続され、前記呼び出し、前記通話の制御を行うための制御機（５）とを設け、
前記集合玄関機、前記居室親機及び前記制御機にはそれぞれ、センサ発報、センサ監視、センサ確認等のデータ信号の送受信手段（１０７、３１１、５０４、５０５）を備え、
前記居室親機には、前記データ信号の送出を必要とする送出イベントの発生から前記データ信号の送出までの時間（Ｔ1、Ｔ2、Ｔ3）を計時するための計時手段（３０４）を備え、
前記送出イベントの発生時に、発生前の前記居室親機の動作状態及び／又は一つ以上の送出イベントの発生前に発生していた状態イベントの内容に応じて、前記送出イベントの発生から前記データ信号の送出までの前記時間を可変にすることを特徴とする集合住宅インターホンシステム。
【請求項２】
前記集合住宅の管理室内に設置され、前記集合玄関機及び前記居室親機との間の呼び出し、通話、前記集合玄関機及び前記居室親機の状態報知をそれぞれ行うための管理室親機（４）を設けることを特徴とする請求項１記載の集合住宅インターホンシステム。
【請求項３】
前記データ信号は、火災、ガス漏れ、水漏れ、居住者による生活異変等の住戸内にて発生したセキュリティ異常情報を含むことを特徴とする請求項１又は請求項２記載の集合住宅インターホンシステム。
【発明の詳細な説明】
【技術分野】
【０００１】
本発明は、マンション等の集合住宅に設置される集合住宅インターホンシステムに係り、特に、データ信号の送受信時において発生する伝送負荷の影響を抑え、データ通信の伝送効率を高めて信頼性を向上させた集合住宅インターホンシステムに関する。
【背景技術】
【０００２】
従来から、マンション等の集合住宅において、各住戸の住宅情報盤を多重伝送線を介して接続し、各住戸の住宅情報盤等から火災信号を受けたときには、近隣住戸の住宅情報盤に多重伝送線を通じて警報制御信号を送出して火災警報を出力させることにより、集合住宅全体における統合的な警報監視が多重伝送線を通じて行えるようになって省配線化が可能な集合住宅警報監視統合盤が開示されている（例えば、特許文献１を参照。）。
【０００３】
この集合住宅警報監視統合盤によれば、多重伝送線を介して防排煙機器を接続しているため、この防排煙機器に多重伝送線を通じて制御信号を送出し、防排煙機器の動作を制御することができ、さらには、多重伝送線を通じて防排煙機器からの状態信号を受信し、防排煙機器の動作を監視することができる。これによって、火災の発生に対し、防火扉の閉鎖、排煙口の開放、排煙機の運転等の防排煙機器の連動を実行させることができるばかりでなく、防排煙機器が作動すれば、このことを、表示部への表示や内蔵スピーカからのアラーム出力によって報知することができる。
【０００４】
また、集合住宅警報監視統合盤によれば、消火水槽、スプリンクラ、消火ポンプ等を監視する諸警報ユニットを多重伝送線を介して接続しているため、当該統合盤は、この諸警報ユニットから多重伝送線を通じて警報信号を受信したときに表示や音声等で警報出力することができる。
【０００５】
【特許文献１】特開平１１−１６１８８４号公報（段落番号「００３２」、「００３３」）
【発明の開示】
【発明が解決しようとする課題】
【０００６】
背景技術に記載した特許文献１の集合住宅警報監視統合盤において、当該統合盤は、多重伝送線を通じて防排煙機器に制御信号を送出しており、この制御信号がトリガとなって防排煙機器の動作が制御されるばかりでなく、防排煙機器の動作を監視するための状態信号が当該防排煙機器にて生成される。また、多重伝送線には、防排煙機器のみならず諸警報ユニットが接続されているため、防排煙機器に送出される制御信号がトリガとなって諸警報ユニットにて警報信号が生成されることになる。
【０００７】
しかしながら、集合住宅警報監視統合盤に多重伝送線を通じて接続される防排煙機器にて状態信号を生成させる、又は諸警報ユニットにて警報信号を生成させるタイミングは、当該統合盤から多重伝送線を通じて伝送される制御信号の受信時であって単一のタイミングとされ、例えば、防排煙機器の状態変化、状態確認、初期化のような多様な種別の相違に応じて信号伝送の優先度が異なる状態信号も同一のタイミングで当該統合盤に送出されることになる。このため、例えば、防排煙機器の状態変化として、監視状態から発報状態に遷移した場合には、制御信号を受信してから状態信号が送出されるまでの時間が遅延する虞があり、迅速な警報通知ができなかった。
【０００８】
また、多重伝送線の伝送負荷（当該伝送線のトラフィック）が軽微な状態において、集合住宅警報監視統合盤に記憶される防排煙機器及び諸警報ユニットの動作状態と当該防排煙機器及び諸警報ユニットの実際の動作状態との状態整合を行うにあたっては、監視状態から発報状態に遷移した場合と比較してその優先度が低いのにも関わらず、多重伝送線の伝送負荷が優先されていた。
【０００９】
さらに、例えば、防排煙機器及び諸警報ユニットの動作状態を同時に初期化するにあたっては、初期化後のシステム立ち上げ時間を短縮することが望ましい。しかしながら、この初期化動作は、前述の状態整合と同一のタイミングになるため、制御信号を受信してから状態信号が送出されるまでの時間を短くすると状態整合の動作が困難となる一方、長くするとシステム立ち上げ時間が長くなり、データ通信の伝送効率が低くなり、ゆえに、信頼性も低下していた。
【００１０】
前述のように、背景技術に記載した特許文献１の集合住宅警報監視統合盤によれば、データ通信の即時性が要求されるデータ信号が不急の信号によって遅延されたり、データ信号が過度に輻輳することを招く虞があり、結果的にデータ信号の欠落を起こしたりする等で不都合が発生していた。
【００１１】
本発明は、これらの難点を解消するためになされたもので、送出イベント発生時に、発生前の動作状態及び／又は一つ以上の送出イベント発生前に発生していた状態イベントの内容に応じて、送出イベント発生からデータ信号の送出までの時間を可変させることにより、データ信号の送受信時において発生する伝送負荷の影響を抑え、データ通信の伝送効率を高めて信頼性を向上させた集合住宅インターホンシステムを提供することを目的としている。
【課題を解決するための手段】
【００１２】
前述の目的を達成するため、本発明の第１の態様である集合住宅インターホンシステムは、集合住宅の集合玄関に設置される集合玄関機と、集合住宅の各住戸内に設置され、集合玄関機からの呼び出しに応答して集合玄関機との間で通話を成立させる居室親機と、集合玄関機及び居室親機にそれぞれ接続され、呼び出し、通話の制御を行うための制御機とを設けるものである。集合玄関機、居室親機及び制御機にはそれぞれ、センサ発報、センサ監視、センサ確認等のデータ信号の送受信手段を備えている。居室親機には、データ信号の送出を必要とする送出イベントの発生からデータ信号の送出までの時間を計時するための計時手段を備えている。送出イベントの発生時に、発生前の居室親機の動作状態及び／又は一つ以上の送出イベントの発生前に発生していた状態イベントの内容に応じて、送出イベントの発生からデータ信号の送出までの時間を可変にするものである。
【００１３】
また、本発明の第２の態様である集合住宅インターホンシステムは、本発明の第１の態様において、集合住宅の管理室内に設置され、集合玄関機及び居室親機との間の呼び出し、通話、集合玄関機及び居室親機の状態報知をそれぞれ行うための管理室親機を設けるものである。
【００１４】
また、本発明の第３の態様である集合住宅インターホンシステムは、本発明の第１の態様又は第２の態様において、データ信号は、火災、ガス漏れ、水漏れ、居住者による生活異変等の住戸内にて発生したセキュリティ異常情報を含むものである。
【発明の効果】
【００１５】
本発明の集合住宅インターホンシステムによれば、居室親機にて発生する送出イベントとして、火災、ガス漏れ、水漏れ、居住者による生活異変等の住戸内にて発生したセキュリティ異常を検知するセンサの動作状態が遷移する例えば、監視状態から発報状態に遷移する、又は発報状態から監視状態に遷移する場合や、制御機の制御によって全ての居室親機が初期化される場合の送出イベント発生時に、発生前の当該居室親機の動作状態及び／又は一つ以上の送出イベント発生前に発生していた状態イベントの内容に応じて、計時部にて計時される送出イベント発生から制御機へのデータ信号の送出までの時間が可変されるように設定・記憶することができる。これにより、当該システム内にて行われるデータ信号の送受信時において、送出イベント発生前の居室親機の動作状態及び／又は一つ以上の送出イベント発生前に発生していた状態イベントの内容として、例えば、センサの監視状態と比較して重要度が高いセキュリティ異常の発報報知を迅速に行うことができるように、データ通信の即時性が要求されるデータ信号が不急の信号によって遅延されることを防止でき、データ信号が過度に輻輳することなく、結果的にデータ信号の欠落が発生せず、データ送受信時に発生する伝送負荷の影響が抑えられてデータ通信の信頼性が高められる。
【発明を実施するための最良の形態】
【００１６】
以下、本発明の集合住宅インターホンシステムを適用した最良の実施の形態例について、図面を参照して説明する。
【００１７】
図１は、本発明の実施例による集合住宅インターホンシステムの全体構成を示すシステム説明図である。この集合住宅インターホンシステムは、マンション等の集合住宅に設置されるものであり、集合玄関に設置される集合玄関機１と、（１０１号室、１０２号室、・・・のような）複数の住戸毎の住戸玄関にそれぞれ設置される玄関子機２ａ、２ｂ、・・・と、複数の住戸毎の住戸内にそれぞれ設置され、個別の住戸ラインＬ1a、Ｌ1bを経由して玄関子機２ａ、２ｂに接続された居室親機３ａ、３ｂ、・・・と、管理室内に設置される管理室親機４と、集合玄関機ラインＬ2を経由して接続された集合玄関機１、居室親機ラインＬ3を経由してバス接続された居室親機３ａ、３ｂ、・・・、管理室親機ラインＬ4を経由して接続された管理室親機４をそれぞれ制御するための制御機５と、居室親機３ａ、３ｂ、・・・にそれぞれ少なくとも１つ接続可能、ここでは、１つ接続され、火災、ガス漏れ、水漏れ、居住者による生活異変等の住戸内にて発生したセキュリティ異常を検知し、その旨のセキュリティ異常情報を生成するためのセンサ６ａ、６ｂ、・・・とが設けられている。
【００１８】
なお、図１に示す集合住宅インターホンシステムにおいて、居室親機３ａ、３ｂ、・・・及び制御機５の間の接続は、居室親機ラインＬ3を経由したバス接続の態様に限定されるものではなく、例えば、居室親機ラインＬ3を経由して、居室親機３ａ、３ｂ、・・・を渡り配線で接続することもできる。また、居室親機３ａ、３ｂ、・・・にそれぞれ接続される当該センサは、１台に限定されるものではなく、複数台接続することもできる。
【００１９】
次に、集合玄関機１の具体的な構成について、図２（Ａ）のブロック図を参照して説明する。この集合玄関機１は、集合玄関に居る人物、例えば、来訪者が、複数の住戸のうち特定の住戸内に在室中の居住者又は管理室内に在室中の管理人を呼び出して通話を成立させるためのものであり、操作部１００、表示部１０１、映像撮像部１０２、通話部１０３、制御信号処理部１０４、音声信号処理部１０５、制御部１０６及び信号送受信Ｉ／Ｆ１０７が備えられている。
【００２０】
図２（Ａ）に示す集合玄関機１において、操作部１００は、制御部１０６によって操作検出され、来訪者が特定の居住者又は管理人を呼び出すための操作（呼出操作）を行うものであり、例えば、図１に示すように、表示部１０１の前面に配置されたタッチパネル上の操作ボタンや当該集合玄関機の筐体面に設けられるテンキーボタン及び呼出ボタンで構成されている。
【００２１】
また、表示部１０１は、制御部１０６によって制御され、操作部１００の操作情報を表示するためのものであり、例えば、ＬＣＤ、ＰＤＰ、ＴＦＴ、有機ＥＬディスプレイ等の各種の表示媒体で構成されている。
【００２２】
また、映像撮像部１０２は、制御部１０６によって制御され、呼出操作を行った来訪者の映像や集合玄関の周囲近傍の映像を撮像するためのものであり、例えば、ＣＣＤ、ＣＭＯＳ等の各種の映像撮像媒体で構成されている。
【００２３】
また、通話部１０３は、来訪者が特定の居住者又は管理人との間で通話を成立させるための音声（送話音声、受話音声）を入出力するものであり、例えば、マイク１０３ａ及びスピーカ１０３ｂで構成されている。
【００２４】
また、制御信号処理部１０４は、制御部１０６から信号送受信Ｉ／Ｆ１０７に送出される各種のデータ信号について変調する一方、信号送受信Ｉ／Ｆ１０７にて受信され制御部１０６に送出される各種のデータ信号について復調するためのものである。
【００２５】
また、音声信号処理部１０５は、制御部１０６によって制御され、通話部１０３を構成するマイク１０３ａにて入力された音声（送話音声）の音声信号について増幅及び変調して信号送受信Ｉ／Ｆ１０７に送出する一方、信号送受信Ｉ／Ｆ１０７にて受信され通話部１０３を構成するスピーカ１０３ｂから出力させる音声（受話音声）の音声信号について復調及び増幅するためのである。
【００２６】
また、制御部１０６は、集合玄関機１の構成各部を制御するためのものである。さらに、信号送受信Ｉ／Ｆ１０７は、制御信号処理部１０４及び集合玄関機ラインＬ2の間の双方向の信号伝送路と、音声信号処理部１０５及び集合玄関機ラインＬ2の間の双方向の信号伝送路とをそれぞれ形成するためのものである。
【００２７】
次に、居室親機３ａ、３ｂ、・・・の具体的な構成について、図２（Ｂ）のブロック図を参照して説明する。この居室親機３ａ、３ｂ、・・・はそれぞれ、同様な構成で個別のＩＤ、例えば、居室番号が割り当てられており、集合玄関に居る来訪者、自住戸の住戸玄関に居る来訪者及び管理室内に在室中の管理人のうち何れかの人物からの呼び出し（一斉呼び出しを含む。）が報知され、この呼び出しに応答した居住者が通話を成立させるためのものであって、操作部３００、設定部３０１、表示部３０２、記憶部３０３、計時部３０４、センサ検出部３０５、通話部３０６、制御信号処理部３０７、音声信号処理部３０８、制御部３０９及び２つの信号送受信Ｉ／Ｆ（以下、それぞれ玄関子機側信号送受信Ｉ／Ｆ、制御機側信号送受信Ｉ／Ｆという。）３１０、３１１が備えられている。
【００２８】
図２（Ｂ）に示す居室親機３ａ、３ｂ、・・・において、操作部３００は、制御部３０９によって操作検出され、来訪者又は管理人からの呼び出しに居住者が応答するための操作（応答操作）や居住者が管理人を呼び出すための操作（呼出操作）を行うものであり、例えば、図１に示すように、表示部３０２の前面に配置されたタッチパネル上の操作ボタンや当該居室親機の筐体面に設けられる通話ボタン及び呼出ボタンで構成されている。
【００２９】
また、設定部３０１は、制御部３０９によって操作（設定）検出され、自住戸のセンサ６ａ、６ｂ、・・・にて検知されたセキュリティ異常の発報、当該センサの監視、及び当該センサの動作確認等のデータ信号の送出を必要とする送出イベント発生から当該データ信号の送出までの時間を設定するための操作（設定操作）が行われるものであり、例えば、図１に示すように、表示部３０２の前面に配置されたタッチパネル上の設定ボタンで構成されている。なお、設定部３０１は、その構成として、前述の操作部３００と一体で設けることもできる。この構成によれば、居室親機３ａ、３ｂ、・・・の構成が簡素化されることになる。
【００３０】
また、表示部３０２は、制御部３０９によって制御され、集合玄関機１の映像撮像部１０２又は自住戸の玄関子機２ａ、２ｂ、・・・が有する映像撮像機能（詳述せず。）にて撮像された映像を出画するとともに、来訪者又は管理人からの呼び出し（一斉放送を含む。）がある旨の呼出情報、操作部３００又は設定部３０１の操作情報（設定情報）等をそれぞれ表示し、さらには、自住戸のセンサ６ａ、６ｂ、・・・にて検知されたセキュリティ異常を発報（警報表示）するためのものであり、例えば、ＬＣＤ、ＰＤＰ、ＴＦＴ、有機ＥＬディスプレイ等の各種の表示媒体で構成されている。
【００３１】
また、記憶部３０３は、制御部３０９によって制御され、設定部３０１にて設定された時間を記憶するためのものであり、例えば、ＲＡＭ、ＥＥＰＲＯＭ等の各種の記憶媒体で構成されている。なお、記憶部３０３は、その機能を制御部３０９に備えることもできる。この構成によれば、居室親機３ａ、３ｂ、・・・の構成が簡素化されることになる。
【００３２】
また、計時部３０４は、制御部３０９によって制御され、（設定部３０１にて設定され）記憶部３０３に予め記憶されている時間を計時するためのものである。なお、計時部３０４は、その機能を制御部３０９に備えることもできる。この構成によれば、居室親機３ａ、３ｂ、・・・の構成が簡素化されることになる。
【００３３】
センサ検出部３０５は、自住戸のセンサ６ａ、６ｂ、・・・にてセキュリティ異常が検知されたこと、当該センサが監視状態であること、当該センサの動作状態をそれぞれ検出・確認し、その検出・確認結果を制御部３０９に送出するためのものである。
【００３４】
また、通話部３０６は、居住者が来訪者又は管理人との間で通話を成立させるための音声（送話音声、受話音声）を入出力するものであり、例えば、マイク３０６ａ及びスピーカ３０６ｂで構成されている。なお、通話部３０６を構成するスピーカ３０６ｂは、来訪者又は管理人からの呼び出し（一斉放送を含む。）を呼出報知することができるばかりでなく、自住戸のセンサ６ａ、６ｂ、・・・にて検知されたセキュリティ異常を発報（音響出力）することができる。
【００３５】
また、制御信号処理部３０７は、制御部３０９から制御機側信号送受信Ｉ／Ｆ３１１に送出される各種のデータ信号について変調する一方、制御機側信号送受信Ｉ／Ｆ３１１にて受信され制御部３０９に送出される各種のデータ信号について復調するためのものである。
【００３６】
また、音声信号処理部３０８は、通話部３０６を構成するマイク３０６ａにて入力された音声（送話音声）の音声信号について増幅及び変調して玄関子機側信号送受信Ｉ／Ｆ３１０又は制御機側信号送受信Ｉ／Ｆ３１１に送出する一方、玄関子機側信号送受信Ｉ／Ｆ３１０又は制御機側信号送受信Ｉ／Ｆ３１１にて受信され通話部３０６を構成するスピーカ３０６ｂから出力させる音声（受話音声）の音声信号について復調及び増幅するためのである。
【００３７】
また、制御部３０９は、居室親機３ａ、３ｂ、・・・の構成各部を制御するためのものである。さらに、玄関子機側信号送受信Ｉ／Ｆ３１０は、制御部３０９及び個別の住戸ラインＬ1a、Ｌ1b、・・・の間の双方向の信号伝送路と、音声信号処理部３０８及び個別の住戸ラインＬ1a、Ｌ1b、・・・の間の双方向の信号伝送路とをそれぞれ形成するためのものであり、制御機側信号送受信Ｉ／Ｆ３１１は、制御信号処理部３０７及び居室親機ラインＬ3の間の双方向の信号伝送路と、音声信号処理部３０８及び居室親機ラインＬ3の間の双方向の信号伝送路とをそれぞれ形成するためのものである。
【００３８】
次に、制御機５の具体的な構成について、図２（Ｃ）のブロック図を参照して説明する。この制御機５には、３つの制御信号／音声信号処理部（以下、それぞれ集合玄関機側制御信号／音声信号処理部、居室親機側制御信号／音声信号処理部、管理室親機側制御信号／音声信号処理部という。）５００、５０１、５０２、制御部５０３及び３つの信号送受信Ｉ／Ｆ（以下、集合玄関機側信号送受信Ｉ／Ｆ、居室親機側信号送受信Ｉ／Ｆ、管理室親機側信号送受信Ｉ／Ｆという。）５０４、５０５、５０６が備えられている。
【００３９】
図２（Ｃ）に示す制御機５において、集合玄関機側制御信号／音声信号処理部５００は、制御部５０３から集合玄関機側信号送受信Ｉ／Ｆ５０４に送出される各種のデータ信号及び音声信号について変調及び増幅する一方、集合玄関機側信号送受信Ｉ／Ｆ５０４にて受信され制御部５０３に送出される各種のデータ信号及び音声信号について復調及び増幅するためのものである。また、居室親機側制御信号／音声信号処理部５０１は、制御部５０３から居室親機側信号送受信Ｉ／Ｆ５０５に送出される各種のデータ信号及び音声信号について変調及び増幅する一方、居室親機側信号送受信Ｉ／Ｆ５０５にて受信され制御部５０３に送出される各種のデータ信号及び音声信号について復調及び増幅するためのものである。さらに、管理室親機側制御信号／音声信号処理部５０２は、制御部５０３から管理室親機側信号送受信Ｉ／Ｆ５０６に送出される各種のデータ信号及び音声信号について変調及び増幅する一方、管理室親機側信号送受信Ｉ／Ｆ５０６にて制御部５０３に送出される各種のデータ信号及び音声信号について復調及び増幅するためのものである。
【００４０】
また、制御部５０３は、制御機５の構成各部及び当該集合住宅インターホンシステムのシステム全体を制御するためのものである。また、集合玄関機側信号送受信Ｉ／Ｆ５０４は、集合玄関機側制御信号／音声信号処理部５００及び集合玄関機ラインＬ2の間の双方向の信号伝送路を形成するためのものであり、居室親機側信号送受信Ｉ／Ｆ５０５は、居室親機側制御信号／音声信号処理部５０１及び居室親機ラインＬ3の間の双方向の信号伝送路を形成するためのものであり、管理室親機側信号送受信Ｉ／Ｆ５０６は、管理室親機側制御信号／音声信号処理部５０２及び管理室親機ラインＬ4の間の双方向の信号伝送路を形成するためのものである。
【００４１】
このように構成された本発明の実施例による集合住宅インターホンシステムにおいて、以下、具体的な動作について、図１のシステム説明図及び図２のブロック図と、図３乃至図６の各動作遷移図とをそれぞれ参照して説明する。ここで、図３乃至図６の各動作遷移図はそれぞれ、本発明の実施例による第１乃至第５の各動作の遷移状態を説明するためのものである。
【００４２】
なお、本発明の実施例による集合住宅インターホンシステムにおいて、集合玄関に居る来訪者が、複数の住戸のうち特定の住戸内に在室中の居住者又は管理室内に在室中の管理人を呼び出して通話を成立させる動作と、居住者が管理人を呼び出して通話を成立させる動作と、管理人が全ての居住者に対して一斉放送を行う動作とはそれぞれ、特許（公開、登録）公報等に記載される各種の集合住宅用のインターホンシステムにおいて公知の動作であるため、説明は省略するものとする。
【００４３】
最初に、本発明の実施例による第１の動作として、図２（Ｂ）に示す居室親機３ａ、３ｂ、・・・のうち、例えば、居室親機３ａの動作状態がセンサ６ａの監視状態を示す状態イベントである一方、居室親機３ｂの動作状態がセンサ６ｂにて検知されたセキュリティ異常を発報している発報状態を示す状態イベントであるとき、何れの居室親機３ａ、３ｂの動作状態が同時のタイミングで遷移した場合について、図３（Ａ）、（Ｂ）の各動作遷移図を参照して説明する。
【００４４】
図２（Ｂ）に示す居室親機３ａのセンサ検出部３０５に接続されたセンサ６ａが、図３（Ａ）に示すように、監視状態から火災、ガス漏れ、水漏れ、居住者による生活異変等の住戸内にて発生したセキュリティ異常を検知した状態（以下、セキュリティ異常検知状態という。）に遷移すると、この状態遷移をセンサ検出部３０５が検出し、その検出結果が制御部３０９に送出される。この後、居室親機３ａの制御部３０９は、自居室親機３ａがセンサ６ａの監視状態から発報状態に遷移されたことを示す送出イベントを検出し、その旨のセキュリティ異常情報の発報（警報表示、音響出力）を、表示部３０２及び通話部３０６を構成するスピーカ３０６ｂをそれぞれ使用して行うとともに、自居室親機３ａの動作状態として、センサ６ａの発報状態である旨のセンサ状態信号Ｓ1aを生成する。また、居室親機３ａの制御部３０９は、送出イベントの遷移確認時を始期として、設定部３０１による設定操作で記憶部３０３に予め記憶されている所定の時間Ｔ1を計時部３０４にて計時させ、この時間Ｔ1が経過された後のタイミングに基づき、生成されたセンサ状態信号Ｓ1aを制御信号処理部３０７、制御機側信号送受信Ｉ／Ｆ３１１、居室親機ラインＬ3、図２（Ｃ）に示す制御機５の居室親機側信号送受信Ｉ／Ｆ５０５、居室親機側制御信号／音声信号処理部５０１を経由して制御部５０３に送出することができる。
【００４５】
一方、図２（Ｂ）に示す居室親機３ｂのセンサ検出部３０５に接続されたセンサ６ｂが、図３（Ｂ）に示すように、居室親機３ａのセンサ検出部３０５に接続されたセンサ６ａの状態遷移と同一のタイミングで、セキュリティ異常検知状態から監視状態に遷移すると、この状態遷移をセンサ検出部３０５が検出し、その検出結果が制御部３０９に送出される。この後、居室親機３ｂの制御部３０９は、自居室親機３ｂがセンサ６ｂの発報状態から監視状態に遷移されたことを示す送出イベントを検出し、自居室親機３ｂの動作状態として、センサ６ｂの監視状態である旨のセンサ状態信号Ｓ1bを生成する。また、居室親機３ｂの制御部３０９は、送出イベントの遷移確認時を始期として、設定部３０１による設定操作で記憶部３０３に予め記憶されている所定の時間、例えば、前述の時間Ｔ1よりも長い時間Ｔ2（Ｔ2＞＞Ｔ1）を計時部３０４にて計時させ、この時間Ｔ2が経過された後のタイミングに基づき、生成されたセンサ状態信号Ｓ1bを制御信号処理部３０７、制御機側信号送受信Ｉ／Ｆ３１１、居室親機ラインＬ3、図２（Ｃ）に示す制御機５の居室親機側信号送受信Ｉ／Ｆ５０５、居室親機側制御信号／音声信号処理部５０１を経由して制御部５０３に送出することができる。
【００４６】
ここで、図２（Ｃ）に示す制御機５の制御部５０３には、図２（Ｂ）に示す居室親機３ａ、３ｂの設定部３０１による設定操作で記憶部３０３に予め記憶されている所定の時間Ｔ1、Ｔ2（Ｔ2＞＞Ｔ1）の時間差「Ｔ2−Ｔ1」だけ遅延されたタイミングに基づき、センサ状態信号Ｓ1a、Ｓ1bがそれぞれ送出されてくる。これにより、制御部５０３は、時間差「Ｔ2−Ｔ1」だけ異なるタイミングに基づき、管理室親機側制御信号／音声信号処理部５０２、管理室親機側信号送受信Ｉ／Ｆ５０６、管理室ラインＬ4を経由して接続される管理室親機４において、居室親機３ａ、３ｂの状態遷移について状態報知（警報表示、監視表示、音響出力）を行うことができる。すなわち、前述の所定の時間Ｔ1、Ｔ2は、「Ｔ2＞＞Ｔ1」の関係を有しているため、「センサ６ｂによる発報状態から監視状態への遷移に伴う居室親機３ｂの状態報知（監視表示、音響出力）」と比較して、その重要度が高いとされる「センサ６ａによる監視状態から発報状態への遷移に伴う居室親機３ａの状態報知、すなわち、セキュリティ異常情報の発報（警報表示、音響出力）」が、管理室親機４にて優先的に報知されることなる。
【００４７】
また、図２（Ｃ）に示す制御機５の制御部５０３は、前述の所定の時間Ｔ1、Ｔ2が「Ｔ2＞＞Ｔ1」の関係を有しているため、居室親機ラインＬ3の伝送負荷の平準化を行うことができ、この伝送負荷の影響が抑えられてデータ通信の信頼性が高められる。
【００４８】
次に、本発明の実施例による第２の動作として、図２（Ｂ）に示す居室親機３ａ、３ｂ、・・・のうち、例えば、居室親機３ａの動作状態がセンサ６ａの監視状態を示す状態イベントであるとき、この動作状態を確認し、図２（Ｂ）に示す制御機５の制御部５０３に予め記憶されている動作状態との状態整合を行うにあたり、他の当該居室親機として、居室親機３ｂが状態遷移した場合について、図４（Ａ）の動作遷移図を参照して説明する。
【００４９】
図２（Ｃ）に示す制御機５の制御部５０３は、居室親機３ａの状態確認を行うにあたり、居室親機３ａの居室番号が付加されたセンサ確認信号Ｓ2aを生成する。このセンサ確認信号Ｓ2aは、制御部５０３から居室親機側制御信号／音声信号処理部５０１、居室親機側信号送受信Ｉ／Ｆ５０５、居室親機ラインＬ3、図２（Ｂ）に示す全ての居室親機３ａ、３ｂ、・・・の制御機側信号送受信Ｉ／Ｆ３１１、制御信号処理部３０７を経由して制御部３０９にそれぞれ送出される。
【００５０】
図２（Ｂ）に示す全ての居室親機３ａ、３ｂ、・・・の制御部３０９はそれぞれ、受信したセンサ確認信号Ｓ2aに付加されている居室番号と自居室親機が有する居室番号とを照合し、この居室番号が一致した場合にのみ、センサ確認信号Ｓ2aが有効であるとして判断する。
【００５１】
ここでは、図２（Ｂ）に示す全ての居室親機３ａ、３ｂ、・・・のうち、居室親機３ａの制御部３０９のみセンサ確認信号Ｓ2aが有効な信号であると判断され、この制御部３０９は、図４（Ａ）に示すように、センサ６ａの監視状態を示す状態イベントであり、この状態イベント時における制御機５からの動作状態の確認を示す送出イベントがあることを検出し、自居室親機３ａの動作状態として、センサ６ａの監視状態である旨のセンサ状態信号Ｓ3aを生成する。また、居室親機３ａの制御部３０９は、検出した送出イベントである「自居室親機３ａの動作状態の確認」の重要度が、前述の「センサ６ａによる発報状態から監視状態への遷移」及び「センサ６ａによる監視状態から発報状態への遷移」のそれぞれの重要度と比較して低いため、この送出イベントの確認時を始期として、設定部３０１による設定操作で記憶部３０３に予め記憶されている所定の時間、例えば、前述の時間Ｔ1、Ｔ2よりも長い時間Ｔ3（Ｔ3＞＞Ｔ2＞＞Ｔ1）を計時部３０４にて計時させ、この時間Ｔ3が経過された後のタイミングに基づき、生成したセンサ状態信号Ｓ3aを前述のセンサ状態信号Ｓ1aと同一の信号伝送路を経由して図２（Ｃ）に示す制御機５の制御部５０３及び居室親機３ａを除く他の居室親機３ｂ、・・・の制御部３０９にそれぞれ送出することができる。
【００５２】
また、図２（Ｂ）に示す居室親機３ａの動作状態が確認され、図４（Ａ）に示す時間Ｔ3の期間内であるとき、居室親機３ｂのセンサ検出部３０５に接続されたセンサ６ｂがセキュリティ異常検知状態から監視状態に遷移すると、この状態遷移をセンサ検出部３０５が検出し、その検出結果が制御部３０９に送出される。この後、居室親機３ｂの制御部３０９は、自居室親機３ｂがセンサ６ｂの発報状態から監視状態に遷移されたことを示す送出イベントを検出してセンサ状態信号Ｓ2bを生成し、送出イベントの遷移確認時を始期として、設定部３０１による設定操作で記憶部３０３に予め記憶されている所定の時間、例えば、前述の時間Ｔ3より短い時間Ｔ2（Ｔ3＞＞Ｔ2）が計時部３０４にて経過された後のタイミングに基づき、前述のセンサ状態信号Ｓ3aが送出される前の時間帯に割り込んで図２（Ｃ）に示す制御機５の制御部５０３及び居室親機３ｂを除く他の居室親機３ａ、・・・の制御部３０９にそれぞれ送出することができる。
【００５３】
ここで、図２（Ｃ）に示す制御機５の制御部５０３には、図２（Ｂ）に示す居室親機３ａの設定部３０１による設定操作で記憶部３０３に予め記憶されている所定の時間Ｔ3内に（居室親機２ｂからの）センサ状態信号Ｓ2bが割り込まれ、センサ状態信号Ｓ3aとともに送出されてくる。これにより、制御部５０３は、管理室親機側制御信号／音声信号処理部５０２、管理室親機側信号送受信Ｉ／Ｆ５０６、管理室ラインＬ4を経由して接続される管理室親機４において、居室親機３ｂがセンサ６ａの発報状態から監視状態に遷移された旨の状態報知（監視表示、音響出力）を優先し、その後、居室親機３ａへの状態整合に伴う状態報知（監視表示、音響出力）を行うことができ、さらには、この居室親機３ａの動作状態と当該制御部に予め記憶されている動作状態との状態整合を行うことができる。すなわち、前述の所定の時間Ｔ2、Ｔ3は、「Ｔ3＞＞Ｔ2」の関係を有しているため、「居室親機３ａへの状態整合に伴う状態報知（監視表示、音響出力）」と比較して、その重要度が高いとされる「センサ６ｂによる発報状態から監視状態への遷移に伴う居室親機３ｂの状態報知（監視表示、音響出力）」が、管理室親機４にて優先的に報知されることなる。
【００５４】
また、図２（Ｃ）に示す制御機５の制御部５０３は、前述の所定の時間Ｔ2、Ｔ3が「Ｔ3＞＞Ｔ2」の関係を有しているため、居室親機ラインＬ3の伝送負荷の平準化を行うことができ、この伝送負荷の影響が抑えられてデータ通信の信頼性が高められる。
【００５５】
なお、本発明の実施例による第２の動作においては、図２（Ｂ）に示す居室親機３ａの動作状態が確認されているとき、居室親機３ｂのセンサ検出部３０５に接続されたセンサ６ｂがセキュリティ異常検知状態から監視状態に遷移した場合について説明したが、この動作に限定されるものではない。
【００５６】
例えば、図４（Ａ）に示すように、図２（Ｂ）に示す居室親機３ａの動作状態が確認され、時間Ｔ3の期間内であるとき、居室親機３ｂのセンサ検出部３０５に接続されたセンサ６ｂが、監視状態からセキュリティ異常検知状態に遷移した場合には、居室親機３ａの設定部３０１による設定操作で記憶部３０３に予め記憶されている所定の時間Ｔ3内であり、センサ６ｂが監視状態からセキュリティ異常検知状態に遷移されたタイミング、すなわち、居室親機３ｂの送出イベントを始期として、居室親機３ｂの設定部３０１による設定操作で記憶部３０３に予め記憶されている所定の時間Ｔ1が計時部３０４にて経過された後において（自居室親機３ｂがセンサ６ｂの監視状態から発報状態に遷移した旨の）センサ状態信号Ｓ3bが、前述のセンサ状態信号Ｓ3aが送出される前の時間帯に割り込まれて図２（Ｃ）に示す制御機５の制御部５０３に送出されてくる。これにより、制御部５０３は、管理室親機側制御信号／音声信号処理部５０２、管理室親機側信号送受信Ｉ／Ｆ５０６、管理室ラインＬ4を経由して接続される管理室親機４において、居室親機３ｂがセンサ６ａの監視状態から発報状態に遷移された旨の状態報知（警報表示、音響出力）を優先し、その後、居室親機３ａへの状態整合に伴う状態報知（監視表示、音響出力）を行うことができるばかりでなく、この居室親機３ａの動作状態と当該制御部に予め記憶されている動作状態との状態整合を行うことができる。すなわち、前述の所定の時間Ｔ1、Ｔ3は、「Ｔ3＞＞（Ｔ2）＞＞Ｔ1」の関係を有しているため、「居室親機３ａへの状態整合に伴う状態報知（監視表示、音響出力）」と比較して、その重要度が高いとされる「センサ６ｂによる監視状態から発報状態への遷移に伴う居室親機３ｂの状態報知（警報表示、音響出力）」が、管理室親機４にて優先的に報知されることなる。
【００５７】
また、図２（Ｃ）に示す制御機５の制御部５０３は、前述の所定の時間Ｔ1、Ｔ3が「Ｔ3＞＞（Ｔ2）＞＞Ｔ1」の関係を有しているため、居室親機ラインＬ3の伝送負荷の平準化を行うことができ、この伝送負荷の影響が抑えられてデータ通信の信頼性が高められる。
【００５８】
次に、本発明の実施例による第３の動作として、図２（Ｂ）に示す居室親機３ａ、３ｂ、・・・のうち、例えば、居室親機３ａの動作状態がセンサ６ａにて検知されたセキュリティ異常を発報している発報状態を示す状態イベントであるとき、この動作状態を確認し、図２（Ｂ）に示す制御機５の制御部５０３に予め記憶されている動作状態との状態整合を行う場合について、図４（Ｂ）の動作遷移図を参照して説明する。
【００５９】
前述の第２の動作と同様、図２（Ｃ）に示す制御機５の制御部５０９から送出されるセンサ確認信号Ｓ2aが有効な信号であると判断した図２（Ｂ）に示す居室親機３ａの制御部３０９は、図４（Ｂ）に示すように、センサ６ａの発報状態を示す状態イベントであり、この状態イベント時における制御機５からの動作状態の確認を示す送出イベントがあることを検出し、自居室親機３ａの動作状態として、センサ６ａの発報状態である旨のセンサ状態信号Ｓ4aを生成する。また、居室親機３ａの制御部３０９は、送出イベントの内容である「自居室親機３ａの動作状態の確認」の重要度が、前述の「センサ６ａによる発報状態から監視状態への遷移」及び「センサ６ａによる監視状態から発報状態への遷移」のそれぞれの重要度と比較して低いものの、動作状態が発報状態の継続であるため、応答信号の重要度を監視状態から発報状態への遷移と同程度であると判断し、この送出イベントの確認時を始期として、例えば、設定部３０１による設定操作で記憶部３０３に予め記憶されている所定の時間Ｔ1（Ｔ3＞＞Ｔ2＞＞Ｔ1）が計時部３０４にて経過された後のタイミングに基づき、生成したセンサ状態信号Ｓ4aを前述のセンサ状態信号Ｓ1a、Ｓ3aと同一の信号伝送路を経由して図２（Ｃ）に示す制御機５の制御部５０３及び居室親機３ａを除く他の居室親機３ｂ、・・・の制御部３０９にそれぞれ送出することができる。
【００６０】
図２（Ｃ）に示す制御機５の制御部５０３は、センサ状態信号Ｓ4aを受信すると、管理室親機側制御信号／音声信号処理部５０２、管理室親機側信号送受信Ｉ／Ｆ５０６、管理室ラインＬ4を経由して接続される管理室親機４において、居室親機３ａの動作状態が、センサ６ａにて検知されたセキュリティ異常を発報している発報状態である旨の状態報知（警報表示、音響出力）を行うことができるとともに、この居室親機３ａの動作状態と当該制御部に予め記憶されている動作状態との状態整合を行うことができる。
【００６１】
次に、本発明の実施例による第４の動作として、例えば、図２（Ｂ）に示す居室親機３ａ、３ｂのそれぞれの動作状態がセンサ６ａ、６ｂの監視状態を示す状態イベントであるとき、全ての居室親機３ａ、３ｂ、・・・を初期化し、この初期化状態において居室親機３ａ、３ｂの動作状態を順次確認し、図２（Ｂ）に示す制御機５の制御部５０３に予め記憶されている動作状態との状態整合を行う場合について、図５の動作遷移図を参照して説明する。
【００６２】
図２（Ｃ）に示す制御機５の制御部５０３は、全ての居室親機３ａ、３ｂ、・・・の初期化を行うにあたり、居室親機３ａ、３ｂ、・・・の全ての居室番号を有効とする情報が付加された初期化信号Ｓ5を生成する。この初期化信号Ｓ5は、前述のセンサ確認信号Ｓ2aと同一の信号伝送路を経由して図２（Ｂ）に示す全ての居室親機３ａ、３ｂ、・・・の制御部３０９にそれぞれ送出される。
【００６３】
図２（Ｂ）に示す全ての居室親機３ａ、３ｂ、・・・の制御部３０９はそれぞれ、受信した初期化信号Ｓ5に付加されている情報をもとに、自親機が有する居室番号を有効であると判断し、自居室親機３ａ、３ｂ、・・・の初期化を行うとともに、当該自居室親機がセンサ６ａ、６ｂ、・・・の監視状態から初期化状態に遷移されたことを示す送出イベントを検出することができる。
【００６４】
図２（Ｃ）に示す制御機５の制御部５０３は、前述の初期化が行われている初期化時において、図２（Ｂ）に示す居室親機３ａ、３ｂの動作状態を順次確認する、ここでは、「居室親機３ａ」→「居室親機３ｂ」の順序で個別に確認するにあたり、最初に、居室親機３ａの居室番号が付加されたセンサ確認信号Ｓ6aを生成する。このセンサ確認信号Ｓ6aは、前述のセンサ確認信号Ｓ2a、Ｓ4b及び初期化信号Ｓ5と同一の信号伝送路を経由して、制御部５０３から全ての居室親機３ａ、３ｂ、・・・の制御部３０９にそれぞれ送出される。
【００６５】
図２（Ｂ）に示す全ての居室親機３ａ、３ｂ、・・・の制御部３０９はそれぞれ、受信したセンサ確認信号Ｓ6aに付加されている居室番号と自親機が有する居室番号とを照合し、居室番号が一致した場合にのみ当該センサ確認信号が有効であるとして判断する。ここでは、全ての居室親機３ａ、３ｂ、・・・のうち、居室親機３ａの制御部３０９のみセンサ確認信号Ｓ6aが有効な信号であると判断される。
【００６６】
図２（Ｂ）に示す居室親機３ａの制御部３０９は、自居室親機が初期化状態を示す状態イベントであり、この状態イベント時における制御機５からの動作状態の確認を示す送出イベントがあることを検出し、自居室親機３ａがセンサ６ａの監視状態である旨のセンサ状態信号Ｓ7aを生成する。また、居室親機３ａの制御部３０９は、送出イベントの内容である「居室親機３ａが初期化状態における当該自居室親機の動作状態の確認」の重要度が、前述の「センサ６ａによる監視状態から発報状態への遷移」の重要度と比較して低い一方、「センサ６ａによる発報状態から監視状態への遷移」の重要度と同程度であると判断し、送出イベントの確認時を始期として、例えば、設定部３０１による設定操作で記憶部３０３に予め記憶されている所定の時間Ｔ2（Ｔ2＞＞Ｔ1）が計時部３０４にて経過された後のタイミングに基づき、生成したセンサ状態信号Ｓ7aを前述のセンサ状態信号Ｓ1a、Ｓ3a、Ｓ4aと同一の信号伝送路を経由して図２（Ｃ）に示す制御機５の制御部５０３及び居室親機３ａを除く他の居室親機３ｂ、・・・の制御部３０９にそれぞれ送出することができ、この初期化動作が終了すると監視状態が保持されることになる。
【００６７】
また、図２（Ｃ）に示す制御機５の制御部５０３は、居室親機３ｂの動作状態を確認するにあたり、居室親機３ｂの居室番号が付加されたセンサ確認信号Ｓ4bを生成する。このセンサ確認信号Ｓ4bは、制御部５０３から居室親機側制御信号／音声信号処理部５０１、居室親機側信号送受信Ｉ／Ｆ５０５、居室親機ラインＬ3、全ての居室親機３ａ、３ｂ、・・・の制御機側信号送受信Ｉ／Ｆ３１１、制御信号処理部３０７を経由して制御部３０９にそれぞれ送出される。
【００６８】
図２（Ｂ）に示す全ての居室親機３ａ、３ｂ、・・・の制御部３０９はそれぞれ、受信したセンサ確認信号Ｓ4bに付加されている居室番号と自親機が有する居室番号とを照合し、居室番号が一致した場合にのみ当該センサ確認信号が有効であるとして判断する。ここでは、全ての居室親機３ａ、３ｂ、・・・のうち、居室親機３ｂの制御部３０９のみセンサ確認信号Ｓ4bが有効な信号であると判断される。
【００６９】
図２（Ｂ）に示す居室親機３ｂの制御部３０９は、自居室親機が初期化状態を示す状態イベントであり、この状態イベント時における制御機５からの動作状態の確認を示す送出イベントがあることを検出し、自居室親機３ｂがセンサ６ｂの監視状態である旨のセンサ状態信号Ｓ6bを生成する。また、居室親機３ｂの制御部３０９は、送出イベントの内容である「居室親機３ｂが初期化状態における当該自居室親機の動作状態の確認」の重要度が、前述の「センサ６ｂによる監視状態から発報状態への遷移」の重要度と比較して低い一方、「センサ６ｂによる発報状態から監視状態への遷移」の重要度と同程度であると判断し、送出イベントの確認時を始期として、例えば、設定部３０１による設定操作で記憶部３０３に予め記憶されている所定の時間Ｔ2（Ｔ2＞＞Ｔ1）が計時部３０４にて経過された後のタイミングに基づき、生成したセンサ状態信号Ｓ6bを前述のセンサ状態信号Ｓ1b、Ｓ2b、Ｓ3bと同一の信号伝送路を経由して図２（Ｃ）に示す制御機５の制御部５０３及び居室親機３ｂを除く他の居室親機３ａ、・・・の制御部３０９にそれぞれ送出することができ、この初期化動作が終了すると監視状態が保持されることになる。
【００７０】
ここで、図２（Ｃ）に示す制御機５の制御部５０３は、センサ確認信号Ｓ6a、Ｓ4bをそれぞれ送出した時点を始期として、図２（Ｂ）に示す居室親機３ａ、３ｂの設定部３０１による設定操作で記憶部３０３に予め記憶されている所定の時間Ｔ2だけ遅延されたタイミングで受信したセンサ状態信号Ｓ7a、Ｓ6bを順次検出すると、この検出が完了したタイミングに基づき、管理室親機側制御信号／音声信号処理部５０２、管理室親機側信号送受信Ｉ／Ｆ５０６、管理室ラインＬ4を経由して接続される管理室親機４において、居室親機３ａ、３ｂがそれぞれセンサ６ａ、６ｂの監視状態であることを状態報知（監視表示、音響出力）することができるばかりでなく、これら居室親機３ａ、３ｂの動作状態と当該制御部に予め記憶されている動作状態との状態整合を行うことができる。
【００７１】
なお、図２（Ｃ）に示す制御機５の制御部５０３の制御により管理室親機４にて行われる居室親機３ａ、３ｂがそれぞれセンサ６ａ、６ｂの監視状態であることの状態報知（監視表示、音響出力）及び居室親機３ａ、３ｂの状態整合については、前述のようなセンサ状態信号Ｓ7a、Ｓ6bの検出が完了したタイミングのみならず、センサ状態信号Ｓ7a、Ｓ6bが個別に検出されるタイミングで行うこともできる。
【００７２】
次に、本発明の実施例による第５の動作として、例えば、図２（Ｂ）に示す居室親機３ａ、３ｂのそれぞれの動作状態が、センサ６ａ、６ｂにて検知されたセキュリティ異常を発報している発報状態を示す状態イベントであるとき、全ての居室親機３ａ、３ｂ、・・・を初期化し、この初期化状態において特定の居室親機、ここでは、居室親機３ａの動作状態が遷移し、かつ当該初期化状態において居室親機３ａ、３ｂの動作状態を順次確認し、図２（Ｂ）に示す制御機５の制御部５０３に予め記憶されている動作状態との状態整合を行う場合について、図６の動作遷移図を参照して説明する。
【００７３】
図２（Ｃ）に示す制御機５の制御部５０３は、全ての居室親機３ａ、３ｂ、・・・の初期化を行うにあたり、前述の第４の動作と同様、居室親機３ａ、３ｂ、・・・の全ての居室番号を有効とする情報が付加された初期化信号Ｓ5を生成する。この初期化信号Ｓ5は、前述のセンサ確認信号Ｓ2aと同一の信号伝送路を経由して図２（Ｂ）に示す全ての居室親機３ａ、３ｂ、・・・の制御部３０９にそれぞれ送出される。
【００７４】
図２（Ｂ）に示す全ての居室親機３ａ、３ｂ、・・・の制御部３０９はそれぞれ、受信した初期化信号Ｓ5に付加されている情報をもとに、自親機が有する居室番号を有効であると判断し、自居室親機の初期化を行うとともに、当該自居室親機がセンサ６ａ、６ｂ、・・・の監視状態から初期化状態に遷移されたことを示す送出イベントを検出することができる。
【００７５】
ここで、図２（Ｂ）に示す居室親機３ａ、３ｂ、・・・のうち、居室親機３ａのセンサ検出部３０５に接続されたセンサ６ａが、図６に示すように、監視状態からセキュリティ異常検知状態に遷移すると、この状態遷移をセンサ検出部３０５が検出し、その検出結果が制御部３０９に送出される。この後、居室親機３ａの制御部３０９は、自居室親機３ａが初期化状態であり、かつセンサ６ａの監視状態から発報状態に遷移した状態イベントであることを検出するものの、自居室親機３ａが初期化状態であるため、表示部３０２及び通話部３０６を構成するスピーカ３０６ｂをそれぞれ使用した状態報知（警報表示、音響出力）やセンサ６ａの監視状態から発報状態に遷移された旨の当該センサ状態信号が生成されることはない。
【００７６】
また、図２（Ｃ）に示す制御機５の制御部５０３は、前述の初期化が行われている初期化時において、図２（Ｂ）に示す居室親機３ａ、３ｂの動作状態を順次確認する、ここでは、「居室親機３ａ」→「居室親機３ｂ」の順序で個別に確認するにあたり、最初に、居室親機３ａの居室番号が付加されたセンサ確認信号Ｓ8aを生成することができる。このセンサ確認信号Ｓ8aは、前述のセンサ確認信号Ｓ2a、Ｓ6a、Ｓ4b及び初期化信号Ｓ5と同一の信号伝送路を経由して、制御部５０３から全ての居室親機３ａ、３ｂ、・・・の制御部３０９にそれぞれ送出される。
【００７７】
図２（Ｂ）に示す全ての居室親機３ａ、３ｂ、・・・の制御部３０９はそれぞれ、受信したセンサ確認信号Ｓ8aに付加されている居室番号と自親機が有する居室番号とを照合し、居室番号が一致した場合にのみ当該センサ確認信号が有効であるとして判断する。ここでは、全ての居室親機３ａ、３ｂ、・・・のうち、居室親機３ａの制御部３０９のみセンサ確認信号Ｓ8aが有効な信号であると判断される。
【００７８】
図２（Ｂ）に示す居室親機３ａの制御部３０９は、自居室親機が初期化状態を示す状態イベントであり、この状態イベント時における制御機５からの動作状態の確認を示す送出イベントがあることを検出し、自居室親機３ａがセンサ６ａの発報状態である旨のセンサ状態信号Ｓ9aを生成する。また、居室親機３ａの制御部３０９は、送出イベントの内容である「居室親機３ａが初期化状態における当該自居室親機の動作状態の確認」の重要度が、前述の「センサ６ａによる監視状態から発報状態への遷移」の重要度と比較して低い一方、「センサ６ａによる発報状態から監視状態への遷移」の重要度と同程度であると判断し、送出イベントの確認時を始期として、例えば、設定部３０１による設定操作で記憶部３０３に予め記憶されている所定の時間Ｔ2（Ｔ2＞＞Ｔ1）が計時部３０４にて経過された後のタイミングに基づき、生成したセンサ状態信号Ｓ9aを前述のセンサ状態信号Ｓ1a、Ｓ3a、Ｓ4a、Ｓ7aと同一の信号伝送路を経由して図２（Ｃ）に示す制御機５の制御部５０３及び居室親機３ａを除く他の居室親機３ｂ、・・・の制御部３０９にそれぞれ送出することができ、この初期化動作が終了すると、発報状態であることの状態報知（警報表示、音響出力）が開始される。
【００７９】
また、図２（Ｃ）に示す制御機５の制御部５０３は、居室親機３ｂの動作状態を確認するにあたり、居室親機３ｂの居室番号が付加されたセンサ確認信号Ｓ7bを生成する。このセンサ確認信号Ｓ7bは、前述のセンサ確認信号Ｓ4b及び初期化信号Ｓ5と同一の信号伝送路を経由して、制御部５０３から全ての居室親機３ａ、３ｂ、・・・の制御部３０９にそれぞれ送出される。
【００８０】
図２（Ｂ）に示す全ての居室親機３ａ、３ｂ、・・・の制御部３０９はそれぞれ、受信したセンサ確認信号Ｓ7bに付加されている居室番号と自親機が有する居室番号とを照合し、居室番号が一致した場合にのみ当該センサ確認信号が有効であるとして判断する。ここでは、全ての居室親機３ａ、３ｂ、・・・のうち、居室親機３ｂの制御部３０９のみセンサ確認信号Ｓ7bが有効な信号であると判断される。
【００８１】
図２（Ｂ）に示す居室親機３ｂの制御部３０９は、自居室親機が初期化状態を示す状態イベントであり、この状態イベント時における制御機５からの動作状態の確認を示す送出イベントがあることを検出し、自居室親機３ｂがセンサ６ｂの監視状態である旨のセンサ状態信号Ｓ8bを生成する。また、居室親機３ｂの制御部３０９は、送出イベントの内容である「居室親機３ｂが初期化状態における当該自居室親機の動作状態の確認」の重要度が、前述の「センサ６ｂによる監視状態から発報状態への遷移」の重要度と比較して低い一方、「センサ６ｂによる発報状態から監視状態への遷移」の重要度と同程度であると判断し、送出イベントの確認時を始期として、例えば、設定部３０１による設定操作で記憶部３０３に予め記憶されている所定の時間Ｔ2（Ｔ2＞＞Ｔ1）が計時部３０４にて経過された後のタイミングに基づき、生成したセンサ状態信号Ｓ8bを前述のセンサ状態信号Ｓ1b、Ｓ2b、Ｓ3b、Ｓ7bと同一の信号伝送路を経由して図２（Ｃ）に示す制御機５の制御部５０３及び居室親機３ｂを除く他の居室親機３ａ、・・・の制御部３０９にそれぞれ送出することができ、この初期化動作が終了すると、監視状態であることの状態報知（監視表示、音響出力）が開始される。
【００８２】
ここで、図２（Ｃ）に示す制御機５の制御部５０３は、センサ確認信号Ｓ8a、Ｓ7bをそれぞれ送出した時点を始期として、図２（Ｂ）に示す居室親機３ａ、３ｂの設定部３０１による設定操作で記憶部３０３に予め記憶されている所定の時間Ｔ2だけ遅延されたタイミングで受信したセンサ状態信号Ｓ9a、Ｓ8bを順次検出すると、この検出が完了したタイミングに基づき、管理室親機側制御信号／音声信号処理部５０２、管理室親機側信号送受信Ｉ／Ｆ５０６、管理室ラインＬ4を経由して接続される管理室親機４において、居室親機３ａがセンサ６ａの監視状態から遷移した発報状態であることの状態報知（警報表示、音響出力）、居室親機３ｂがセンサ６ｂの監視状態であることの状態報知（監視表示、音響出力）をそれぞれ行うことができるばかりでなく、これら居室親機３ａ、３ｂの動作状態と当該制御部に予め記憶されている動作状態との状態整合を行うことができる。
【００８３】
なお、図２（Ｃ）に示す制御機５の制御部５０３の制御により管理室親機４にて行われる居室親機３ａがセンサ６ａの発報状態であること、及び居室親機３ｂがセンサ６ｂの監視状態であることの状態報知（警報表示、監視表示、音響出力）及び居室親機３ａ、３ｂの状態整合については、前述のようなセンサ状態信号Ｓ9a、Ｓ8bの検出が完了したタイミングのみならず、センサ状態信号Ｓ9a、Ｓ8bが個別に検出されるタイミングで行うこともできる。
【００８４】
前述までの説明から明らかなように、本発明の実施例による集合住宅インターホンシステムにおいては、居室親機３ａ、３ｂ、・・・にて発生する送出イベントとして、火災、ガス漏れ、水漏れ、居住者による生活異変等の住戸内にて発生したセキュリティ異常を検知するセンサ６ａ、６ｂ、・・・の動作状態が遷移する例えば、監視状態から発報状態に遷移する、又は発報状態から監視状態に遷移する場合や、制御機５の制御によって全ての居室親機３ａ、３ｂ、・・・が初期化される場合の送出イベント発生時に、発生前の当該居室親機の動作状態及び／又は一つ以上の送出イベント発生前に発生していた状態イベントの内容に応じて、計時部３０４にて計時される送出イベント発生から制御機５へのデータ信号の送出までの時間が可変されるように設定・記憶することができる。これにより、当該システム内にて行われるデータ信号の送受信時において、送出イベント発生前の居室親機３ａ、３ｂ、・・・の動作状態及び／又は一つ以上の送出イベント発生前に発生していた状態イベントの内容として、例えば、センサ６ａ、６ｂ、・・・の監視状態と比較して重要度が高いセキュリティ異常の発報報知を迅速に行うことができるように、データ通信の即時性が要求されるデータ信号が不急の信号によって遅延されることを防止でき、データ信号が過度に輻輳することなく、結果的にデータ信号の欠落が発生せず、データ送受信時に発生する伝送負荷の影響が抑えられてデータ通信の信頼性が高められる。
【００８５】
また、本発明の実施例による集合住宅インターホンシステムにおいては、居室親機３ａ、３ｂ、・・・にて計時され可変性を有する送出イベント発生から制御機５へのデータ信号の送出までの時間を、３種の所定の時間Ｔ1、Ｔ2、Ｔ3として、設定部３０１による設定操作で記憶部３０３に予め記憶させていたが、この態様に限定されるものではない。例えば、３種の所定の時間Ｔ1、Ｔ2、Ｔ3のみならず、より複数種の時間を設定・記憶し、適宜に書き換えることができるばかりでなく、さらに、前述の設定・記憶手段は、居室親機３ａ、３ｂ、・・・に備えられる態様に限定されるものではなく、制御機５又は当該制御機に接続可能なパーソナルコンピュータ等の外部機器に備えることもできる。
【００８６】
さらに、本発明の実施例による集合住宅インターホンシステムにおいては、送出イベント発生時に、発生前の動作状態及び／又は一つ以上の送出イベント発生前に発生していた状態イベントの内容に応じて、送出イベント発生から制御機へのデータ信号の送出までの時間を可変するにあたり、その送出イベント先の態様として、居室親機３ａ、３ｂ、・・・及び当該居室親機に接続されるセンサ６ａ、６ｂ、・・・を適用したが、この態様に限定されるものではない。例えば、図２（Ｂ）に示す居室親機３ａ、３ｂ、・・・を構成する設定部３０１、記憶部３０３及び計時部３０４と同様な機能を有する図２（Ａ）に破線で示す構成部を集合玄関機１や管理室親機４に備えることもできる。この態様によれば、集合玄関機１の送出イベント発生時に、発生前の当該集合玄関機の動作状態及び／又は一つ以上の送出イベント発生前に発生していた状態イベントの内容に応じて、送出イベント発生から制御機５へのデータ信号の送出までの時間が可変となるように設定することができる。或いは、管理室親機４の送出イベント発生時に、発生前の当該管理室親機の動作状態及び／又は一つ以上の送出イベント発生前に発生していた状態イベントの内容に応じて、送出イベント発生から制御機５へのデータ信号の送出までの時間が可変となるように設定することができる。
【００８７】
最後に、本発明の集合住宅インターホンシステムにおいては、特定の実施の形態をもって説明してきたが、この形態に限定されるものでなく、本発明の効果を奏する限り、これまで知られた如何なる構成の集合住宅インターホンシステムであっても採用できるということはいうまでもないことである。例えば、管理室内に設置される管理室親機４が不備とされる当該システムも好適とされる。
【図面の簡単な説明】
【００８８】
【図１】図１は、本発明の実施例による集合住宅インターホンシステムの全体構成を示すシステム説明図である。
【図２】図２（Ａ）は、本発明の実施例による集合住宅インターホンシステムにおいて、集合玄関機の具体的な構成を示すブロック図である。また、図２（Ｂ）は、本発明の実施例による集合住宅インターホンシステムにおいて、居室親機の具体的な構成を示すブロック図である。さらに、図２（Ｃ）は、本発明の実施例による集合住宅インターホンシステムにおいて、制御機の具体的な構成を示すブロック図である。
【図３】図３（Ａ）、（Ｂ）はそれぞれ、本発明の実施例による集合住宅インターホンシステムにおいて、第１の動作の遷移状態を説明するための動作遷移図である。
【図４】図４（Ａ）は、本発明の実施例による集合住宅インターホンシステムにおいて、第２の動作の遷移状態を説明するための動作遷移図である。また、図４（Ｂ）は、本発明の実施例による集合住宅インターホンシステムにおいて、第３の動作の遷移状態を説明するための動作遷移図である。
【図５】図５は、本発明の実施例による集合住宅インターホンシステムにおいて、第４の動作の遷移状態を説明するための動作遷移図である。
【図６】図６は、本発明の実施例による集合住宅インターホンシステムにおいて、第５の動作の遷移状態を説明するための動作遷移図である。
【符号の説明】
【００８９】
１……集合玄関機
１０７……信号送受信Ｉ／Ｆ（送受信手段）
３ａ、３ｂ、・・・ ……居室親機
３０４……計時部（計時手段）
３１１……制御機側信号送受信Ｉ／Ｆ（送受信手段）
４……管理室親機
５……制御機
５０４……集合玄関機側信号送受信Ｉ／Ｆ（送受信手段）
５０５……居室親機機側信号送受信Ｉ／Ｆ（送受信手段）
６ａ、６ｂ、・・・ ……センサ
Ｔ1、Ｔ2、Ｔ3……時間
【図１】
2009246458.tif 000003
【図２】
2009246458.tif 000004
【図３】
2009246458.tif 000005
【図４】
2009246458.tif 000006
【図５】
2009246458.tif 000007
【図６】
2009246458.tif 000008